(57)【要約】【課題】原稿画像を常に適正に読み取ることができる原稿読取用搬送装置を提供する。【解決手段】原稿Ｇを第２コンタクトガラス１２２の範囲外から先下がりで原稿安定搬送域Ｒ１へ向けて搬入する搬入機構３１と、この搬入機構３１により第２コンタクトガラス１２２の原稿読取面へ搬入された原稿Ｇと画像読取面との間に所定寸法の隙間を保持させるべく原稿読取面の画像読取域Ｒ２に対向配置されるガイド板５１を備えた原稿対向構造４０と、原稿画像の読み取り処理が完了した原稿Ｇを搬入方向と反対側に向けて斜め上方へ搬出する搬出機構３５とを備えている。ガイド板５１の上流端および下流端の各外方には、原稿Ｇの原稿面と反対側の面がそれぞれ当接されるコロ６２２を備えた搬送補助構造６０が設けられている。【選択図】図１
2008028712.tif 000002
【特許請求の範囲】
【請求項１】
原稿を搬送しながら当該原稿の原稿面に形成された原稿画像をコンタクトガラスを介して原稿読取手段に読み取らせる原稿読取用搬送装置において、
前記原稿を前記コンタクトガラスへ向けて搬入する搬入手段と、
前記搬入手段により前記コンタクトガラスへ搬入された原稿を当該コンタクトガラスの原稿読取域へ対向させる原稿対向構造と、
前記原稿読取域での原稿画像の読み取り処理が完了した原稿を搬出する搬出手段とが備えられ、
前記原稿対向構造は、前記コンタクトガラスと対向した原稿が摺接されるガイド板と、
前記原稿読取域を挟む搬送方向の上流側および下流側でそれぞれ前記原稿が当接されるように前記ガイド板に設けられる一対の搬送補助部材とを備えていることを特徴とする原稿読取用搬送装置。
【請求項２】
前記搬入手段は、原稿を前記コンタクトガラスへ向けて先下がりで搬入するように構成され、
前記搬出手段は、原稿画像の読み取り処理が完了した原稿をコンタクトガラスから先上がりで搬出するように構成されていることを特徴とする請求項１記載の原稿読取用搬送装置。
【請求項３】
前記各搬送補助部材は、前記原稿読取面に対して所定寸法離間した位置まで付勢部材により付勢されていることを特徴とする請求項１または２記載の原稿読取用搬送装置。
【請求項４】
前記搬送補助部材は、原稿搬送方向と直交する原稿幅方向に向けて延びる軸心回りに回転可能に前記ガイド板に取り付けられたコロであることを特徴とする請求項１乃至３のいずれかに記載の原稿読取用搬送装置。
【請求項５】
前記一対の搬送補助部材が複数設けられていることを特徴とする請求項１乃至４のいずれかに記載の原稿読取用搬送装置。
【発明の詳細な説明】
【技術分野】
【０００１】
本発明は、複写機やファクシミリ装置等の画像形成装置に設けられ、画像形成に供される原稿を搬送しながら原稿画像を原稿読取手段に読み取らせ得るように構成された原稿読取用搬送装置に関するものである。
【背景技術】
【０００２】
従来、複写機やファクシミリ装置等の画像形成装置に適用される原稿読取用搬送装置が知られている。この原稿読取用搬送装置は、画像形成装置の装置本体の上面に設けられた、原稿画像を読み取るためのコンタクトガラスを覆うように設けられている。
【０００３】
かかる原稿読取用搬送装置は、複数枚の原稿が積層状態の原稿束として積載される原稿トレイと、この原稿トレイに積載された原稿束から原稿を一枚ずつ繰り出させる原稿繰り出し機構と、この原稿繰り出し機構により繰り出された原稿をコンタクトガラスの上面に向けて搬入する原稿搬入手段と、コンタクトガラスの上面を通過することによりコンタクトガラスの下方から照射された光の反射光を受光することで原稿面の画像が読み取られた原稿を搬出する原稿搬出手段と、この原稿搬出手段により搬出された読み取り処理後の原稿が排出される排出トレイとを備えている。
【０００４】
コンタクトガラスの上方には、当該コンタクトガラスと対向配置された対向部材が設けられ、原稿はこの対向部材とコンタクトガラスとの間に形成された隙間を通過するようになされている。こうすることでコンタクトガラス上を通過する原稿の原稿面の読み取りレベルが確定され、正確な画像読み取りが実現する。
【０００５】
かかる原稿読取用搬送装置によれば、原稿束を原稿トレイに載置した状態で当該原稿読取用搬送装置を稼働させることにより、原稿繰り出し機構の駆動によって原稿束から１枚ずつの原稿が繰り出され、この繰り出された原稿は、原稿搬入手段によってコンタクトガラスと対向部材との隙間へ搬入され、ここで原稿面にコンタクトガラスを介して光が照射されることによる読み取り走査が行われる。
【０００６】
この走査に供された光は、原稿面からの反射光として例えばＣＣＤ（ｃｈａｒｇｅ  ｃｏｕｐｌｅｄ  ｄｅｖｉｃｅ：撮像素子）に入力され、このＣＣＤで画像情報が電気的な信号に変換される。画像形成装置は、この電気的な信号に基づき画像形成処理を行うことになる。
【０００７】
そして、コンタクトガラス上を通過した原稿は、原稿搬出手段の駆動により排出トレイへ向けて排出される。
【０００８】
このような原稿読取用搬送装置については特許文献１〜３に記載されたものが知られている。まず、特許文献１のものは、前記原稿搬入手段、対向部材および原稿搬出手段を共用するものとして周面がコンタクトガラスに対向配置された大径の搬送ローラが採用され、繰り出し機構により原稿束から繰り出された用紙は、搬送ローラの回転に誘導されてコンタクトガラス上に搬入されたのち、この搬送ローラの回転で排出トレイへ向けて排出されるようになっている。搬送ローラの周面には、周方向および軸心方向の双方に亘って等ピッチで穿設された多数の穴が穿設され、この穴を介して外気が吸引されるようになっている。従って、搬送ローラにより搬送されつつある原稿は、穴を介した吸引力により当該搬送ローラの周面に密着するため、原稿画像がコンタクトガラスを介して安定した状態で読み取られる。
【０００９】
また、特許文献２のものは、前記対向部材として白色ガイド板と、この白色ガイド板の原稿搬送方向中央部に設けられた読取出口ローラとが採用されている。白色ガイド板および読取出口ローラは、いずれも他とは独立してコンタクトガラスに向けて付勢されている。こうすることで原稿に対し一定の押圧力が必要な白色ガイド板と、これより小さな押圧力で済ませることができる読取出口ローラとの連係により読み取った画質に悪影響の出ることが抑えられる。
【００１０】
さらに、特許文献３のものは、前記原稿搬入手段、対向部材および原稿搬出手段としてそれぞれ導入搬送ローラ対、読取ローラおよび搬出搬送ローラ対が採用されている。そして、読取ローラと搬出搬送ローラ対との間にジャンプ台が設けられ、このジャンプ台が読取ローラから外れた原稿の下流端を下に下がらないように支持するようになっている。こうすることでコンタクトガラス上で読取ローラを外れた原稿の下流端が下方に垂れ下がって読み取られるべき原稿画像が振れることが防止されるため、原稿画像は適正に読み取られる。
【特許文献１】特開２００１−１９９５９０号公報
【特許文献２】特開２００２−１８９３１９号公報
【特許文献３】特開２００２−２３２６４１号公報
【発明の開示】
【発明が解決しようとする課題】
【００１１】
しかしながら、特許文献１のものは、原稿を吸引力で搬送ローラの周面に密着させるために、吸引ブロワや真空ポンプ等の空気吸引用の装置を別途設けなければならず、部品コストが嵩むという問題点を有している。
【００１２】
また、特許文献２のものは、原稿が読取出口ローラに到達してから当該読取出口ローラから外れるまでの間は安定した状態で原稿画像が読み取られるが、原稿の上流端が白色ガイド板に到達してから読取出口ローラに到達するまでの間、および原稿の下流端が読取出口ローラから外れた瞬間については、原稿のコンタクトガラスに対向した部分（すなわち原稿の上流端および下流端）が不安定になっているため、原稿のこれらの部分については正確に画像を読み取ることができないという問題点を有している。
【００１３】
さらに、特許文献３のものは、原稿の先端が読取ローラに到達するまでは、自由端となっている原稿の先端部が不安定でこの部分の原稿画像を適正に読み取ることができない。また、読取ローラと搬出搬送ローラ対との間に原稿の搬出を円滑に行わせるためのジャンプ台が設けられているが、原稿は、読取ローラから外れた瞬間、三角形状を呈したジャンプ台の頂点に支持された状態になり、この頂点と読取ローラとの間がフリーとなって不安定になるため、原稿の下流端部の画像を正確に読み取ることができなくなるという問題点が存在する。
【００１４】
本発明は、従来のこのような問題点を解消するためになされたものであり、部品コストの大幅な高騰を抑えつつ原稿画像を常に適正に読み取ることができる原稿読取用搬送装置を提供することを目的としている。
【課題を解決するための手段】
【００１５】
請求項１記載の発明は、原稿を搬送しながら当該原稿の原稿面に形成された原稿画像をコンタクトガラスを介して原稿読取手段に読み取らせる原稿読取用搬送装置において、前記原稿を前記コンタクトガラスへ向けて搬入する搬入手段と、前記搬入手段により前記コンタクトガラスへ搬入された原稿を当該コンタクトガラスの原稿読取域へ対向させる原稿対向構造と、前記原稿読取域での原稿画像の読み取り処理が完了した原稿を搬出する搬出手段とが備えられ、前記原稿対向構造は、前記コンタクトガラスと対向した原稿が摺接されるガイド板と、前記原稿読取域を挟む搬送方向の上流側および下流側でそれぞれ前記原稿が当接されるように前記ガイド板に設けられる一対の搬送補助部材とを備えていることを特徴とするものである。
【００１６】
かかる構成によれば、搬入手段の駆動でコンタクトガラスに搬入された原稿は、ガイド板とコンタクトガラスの原稿読取域との間の隙間を通り、この通過中にコンタクトガラスの裏面側に対向配置された原稿読取手段によってその原稿画像が読み取られる。原稿画像が読み取られた原稿は、搬出手段の駆動で原稿読取面から搬出される。
【００１７】
そして、原稿対向構造には、原稿搬送方向の上流端および下流端に原稿が当接される搬送補助部材がそれぞれ設けられているため、搬入手段によってコンタクトガラスへ搬入される原稿は、まず、上流側の搬送補助部材とコンタクトガラスとの間に搬入されてその非原稿面が搬送補助部材に当接され、引き続きガイド板とコンタクトガラスの原稿読取域との隙間を通過した後、下流側の搬送補助部材とコンタクトガラスとの間を非原稿面が搬送補助部材に当接した状態で通ったのち搬出手段により搬出される。
【００１８】
ところで従来は、原稿がコンタクトガラスへ搬入され、その上流端が当該コンタクトガラスから下流側へ抜け出した後にコンタクトガラスの下流側の搬送経路の壁面に衝突し、このときの衝撃がコンタクトガラス上の原稿に影響して当該原稿の上流端付近の原稿画像が安定せず、正確な原稿画像の読み取りが行い得なくなるという不都合が生じるとともに、原稿の下流端がコンタクトガラスの上流側のニップ部から外れるに際し生じる原稿の振動がコンタクトガラス上の原稿に影響して当該原稿の下流端付近の原稿画像が安定せず、正確な原稿画像の読み取りが行い得なくなるという不都合が生じる。
【００１９】
これに対し、本発明では、コンタクトガラスへ搬入される原稿は、直接原稿読取域へ向かわせられるのではなく、一旦上流側の搬送補助部材を経由するとともに、原稿面の読取処理が完了した後の原稿は、直接搬出手段へ向かわせられるのではなく、一旦下流側の搬送補助部材を経由するため、いずれのときにも原稿は、その非原稿面がガイド板の外側位置（すなわち、コンタクトガラス上における原稿読取域から上下流側へ離間した位置）にある搬送補助部材に当接し、この当接状態が維持された状態でコンタクトガラスの原稿読取域に対し安定した状態で搬入出される。
【００２０】
従って、原稿の上流端近傍および下流端近傍の原稿画像を正確に読み取ることができなかったという従来の不都合が解消され、原稿の原稿面に形成された全ての原稿画像が適正に読み取られる。
【００２１】
請求項２記載の発明は、請求項１記載の発明において、前記搬入手段は、原稿を前記コンタクトガラスへ向けて先下がりで搬入するように構成され、前記搬出手段は、原稿画像の読み取り処理が完了した原稿をコンタクトガラスから先上がりで搬出するように構成されていることを特徴とするものである。
【００２２】
かかる構成によれば、原稿は、コンタクトガラスに向けて斜め上から搬入されるとともに、コンタクトガラスから斜め上に向けて搬出されるようになされているため（すなわち、コンタクトガラスに対して上下に移動されるようになされているため）、原稿のコンタクトガラスに到る経路を工夫することにより（具体的には、例えば原稿束が積載される原稿トレイからコンタクトガラスに向かってＵターンの経路を採用することにより）、読取前の原稿の置き場所（原稿トレイ）と読取後の原稿の置き場所（排出トレイ）とを上下で互いに重なり合った二段構造にすることができ、これによって原稿読取用搬送装置がコンパクトになる。
【００２３】
そして、原稿が上から先下がりで斜めにコンタクトガラスへ搬入されるとともに、コンタクトガラスから先上がりで斜めに搬出されるような構成では、コンタクトガラス上で原稿の前端部分および後端部分がより不安定になり易いが、ガイド板の原稿搬送方向の上流端および下流端の外側位置にそれぞれ搬送補助部材が設けられていることにより、原稿の前後の端部はコンタクトガラス上で安定する。
【００２４】
請求項３記載の発明は、請求項１または２記載の発明において、前記各搬送補助部材は、前記原稿読取面に対して所定寸法離間した位置まで付勢部材により付勢されていることを特徴とするものである。
【００２５】
かかる構成によれば、原稿が搬入手段および搬出手段の双方によって搬送された状態になったとき、両者の力のバランスで原稿に上方へ向かって引き上げられるような力が作用するときがあるが、このような場合、搬送補助部材が付勢部材の付勢力に抗して上動することで原稿を引き上げる力が吸収され、これによって原稿面が不安定になるような不都合の発生が有効に防止される。
【００２６】
また、原稿が厚手のものである場合、搬送補助部材は、付勢部材の付勢力に抗して上昇し、これによって用紙は、コンタクトガラスと搬送補助部材との間を通過し得るようになる。
【００２７】
請求項４記載の発明は、請求項１乃至３のいずれかに記載の発明において、前記搬送補助部材は、原稿搬送方向と直交する原稿幅方向に向けて延びる軸心回りに回転可能に前記ガイド板に取り付けられたコロであることを特徴とするものである。
【００２８】
かかる構成によれば、原稿が原稿面に沿って搬送されるに際し、当該原稿の非原稿面がコロに当接し、当該コロが軸心回りに回転するため、原稿に傷が付くような不都合の発生を防止しつつ原稿の搬送がスムーズに行われる。
【００２９】
請求項５記載の発明は、請求項１乃至４のいずれかに記載の発明において、前記一対の搬送補助部材が複数設けられていることを特徴とするものである。
【００３０】
かかる構成によれば、原稿は、原稿読取域において幅方向に亘って複数対の搬送補助部材が当接され、これによって原稿読取域での原稿の搬送状態がより安定する。
【発明の効果】
【００３１】
請求項１記載の発明によれば、原稿読取面へ搬入される原稿は、上流側の搬送補助部材を経由するとともに、原稿画像の読取処理が完了したのち下流側の搬送補助部材を経由するため、いずれのときにも原稿は、その非原稿面がコンタクトガラスの原稿読取域から上下流側へ離間した搬送補助部材に当接し、この当接状態が維持されて原稿読取域に対し安定した状態で搬入出されるため、原稿の上流端近傍および下流端近傍の原稿画像を正確に読み取ることができなかったという従来の不都合が解消され、原稿の原稿面に形成された全ての原稿画像を適正に読み取ることができる。
【００３２】
請求項２記載の発明によれば、原稿は、コンタクトガラスに向けて斜め上から搬入されるとともに、コンタクトガラスから斜め上に向けて搬出されるようになされているため、読取前の原稿の置き場所と読取後の原稿の置き場所とを上下で互いに重なり合った二段構造にすることができ、これにより原稿の前後の端部のコンタクトガラス上での安定化を図りつつ原稿読取用搬送装置のコンパクト化を実現することができる。
【００３３】
請求項３記載の発明によれば、各搬送補助部材は、原稿読取面に対して所定寸法離間した位置まで付勢部材により付勢されているため、原稿が搬入手段および搬出手段の双方によって搬送された状態になったとき、両者の力のバランスで原稿に上方へ向かって引き上げられるような力が作用するときでも、搬送補助部材が付勢部材の付勢力に抗して上動することで原稿を引き上げる力が吸収され、これによって原稿面が不安定になるような不都合の発生を有効に防止することができる。
【００３４】
また、用紙が厚手のものであっても、搬送補助部材が付勢手段の付勢力に抗して上昇することにより、当該用紙はコンタクトガラス上を通過することができ、原稿の厚さに対する原稿対向構造の汎用性を向上させることができる。
【００３５】
請求項４記載の発明によれば、搬送補助部材として原稿搬送方向と直交する原稿幅方向に向けて延びる軸心回りに回転可能にガイド板に取り付けられたコロが採用されているため、原稿が原稿面に沿って搬送されるに際し、原稿の非原稿面がコロに当接し、当該コロが軸心回りに回転することで原稿の搬送をスムーズに行うことができる。
【００３６】
請求項５記載の発明によれば、一対の搬送補助部材が複数設けられているため、原稿読取域での原稿の搬送状態をより安定したものにすることができる。
【発明を実施するための最良の形態】
【００３７】
図１および図２は、本発明に係る原稿読取用搬送装置２０が適用された複写機１０の一実施形態を示す斜視図であり、図１は、原稿読取用搬送装置２０が閉止姿勢に姿勢設定された状態、図２は、原稿読取用搬送装置２０が開放姿勢に姿勢設定された状態をそれぞれ示している。図１および図２に示すように、複写機（画像形成装置）１０は、箱形を呈した複写機本体１１と、この複写機本体１１の上面に付設された本発明に係る原稿読取用搬送装置２０とを備えた基本構成を有している。そして、原稿読取用搬送装置２０に積載された原稿Ｇは、当該原稿読取用搬送装置２０の駆動で複写機本体１１の上面に向けて搬送され、その原稿画像が光学的に読み取られて複写処理に供されるようになっている。
【００３８】
複写機本体１１の天板１１０には、図１に示すように、その前方位置に各種のキーやボタンを備えた操作パネル部１１１が設けられ、これらキーやボタンを操作することによって複写処理が実行されるようになっている。また、前記天板１１０の中央部には、図２に示すように、当該天板１１０に開口された角窓を閉止した状態のコンタクトガラス１２が嵌め込まれている。
【００３９】
前記コンタクトガラス１２は、天板１１０の中央部に設けられた平面寸法が原稿読取用搬送装置２０のそれより若干小さい矩形状の第１コンタクトガラス１２１と、この第１コンタクトガラス１２１の左方位置に隣接した状態で設けられた前後方向に長尺の第２コンタクトガラス１２２とからなっている。
【００４０】
前記第１コンタクトガラス１２１は、図２に示すように、ブック原稿などの原稿面を手置きして読み取らせるときに使用されるものであり、前記第２コンタクトガラス１２２は、原稿読取用搬送装置２０により自動的に給紙された原稿Ｇの原稿面を読み取らせるときに使用されるものである。
【００４１】
第１コンタクトガラス１２１と第２コンタクトガラス１２２との間には、上面に左方から右方に向けて先上がりの傾斜案内面を有する原稿案内枠１２３が設けられている。この原稿案内枠１２３は、第２コンタクトガラス１２２へ向けて給送され、原稿画像の読み取りが行われた後の原稿Ｇを排出トレイ２４へ向けて排出するときの原稿Ｇを第２コンタクトガラス１２２の直後で案内するものであり、原稿読取用搬送装置２０内から外部に出された原稿Ｇは、この原稿案内枠１２３に案内されて一旦元の原稿読取用搬送装置２０内へ戻された後に排出トレイ２４へ排出される。
【００４２】
前記複写機本体１１には、原稿Ｇの原稿画像を読み取って当該原稿画像の情報をデジタル信号に変換するスキャナ部（原稿読取手段）１３と、このスキャナ部１３が読み取った原稿画像を基に複写用の画像を形成して当該画像（トナー像）を用紙に転写する画像形成部１４と、この画像形成部１４で転写処理の施された用紙上のトナー像に定着処理を施す定着部１５と、前記画像形成部１４へ送り込むべき用紙を貯留する用紙貯留部１６と、定着部１５により定着処理が施された用紙が排出される用紙排出部１７とが備えられている。
【００４３】
前記スキャナ部１３には、コンタクトガラス１２を介して原稿面に走査用の光を照射する光源や、この光源からの光の原稿面からの反射光をさらに反射させて導くミラーユニット、さらにはこのミラーユニットにより導かれた光が入力されるＣＣＤ（ｃｈａｒｇｅ  ｃｏｕｐｌｅｄ  ｄｅｖｉｃｅ）等が備えられている。前記ＣＣＤは、原稿画像に照射された光の反射光の強弱（すなわち画像情報）をデジタル信号に変換するものであり、このデジタル信号は、画像形成部１４に伝送されて当該画像形成部１４で画像形成処理に供される。
【００４４】
前記画像形成部１４は、前後方向に延びるドラム軸回りに駆動回転可能に軸支された感光体ドラム１４１の周りに帯電ローラ１４２と、露光ユニット１４３と、現像装置１４４と、転写ローラ１４５と、クリーニング装置１４６とが配設されることによって構成されている。
【００４５】
前記感光体ドラム１４１は、その周面に例えば強靱でかつ円滑なアモルファスシリコン層が積層され、これによって感光体ドラム１４１の周面は、静電潜像やトナー像を形成させるのに適したものになっている。
【００４６】
前記帯電ローラ１４２は、所定の電源装置から供給された高電圧を回転している感光体ドラム１４１の周面に印加し、これによって感光体ドラム１４１の周面を一様に帯電させるものである。かかる帯電ローラ１４２は、周面が感光体ドラム１４１の周面に当接され、これによって放電が生起されない状態（すなわち放電生成物が発生しないクリーンな状態）で感光体ドラム１４１の周面に一様な電荷を付与し得るようになっている。
【００４７】
前記露光ユニット１４３は、前記スキャナ部１３から入力された原稿画像に対応するデジタル信号に基づいたレーザー光を回転している感光体ドラム１４１の周面に照射し、照射した部分の電位を低下させることによって感光体ドラム１４１の周面に静電潜像を形成させるものである。
【００４８】
前記現像装置１４４は、静電潜像の形成された感光体ドラム１４１の周面にトナーを供給し、このトナーを静電潜像に沿って付着させることにより当該感光体ドラム１４１の周面にトナー像を形成させるものである。
【００４９】
前記転写ローラ１４５は、感光体ドラム１４１の周面のトナー像を用紙貯留部１６から送り込まれた用紙に転写させるものであり、所定の電源装置からトナー像と逆の電荷が付与されている。従って、互いに反対方向に向けて回転している転写ローラ１４５と用紙カセット１６１との間に用紙が供給されることにより、感光体ドラム１４１の周面のトナー像は、静電気的に引き剥がされて用紙に転写される。
【００５０】
前記クリーニング装置１４６は、転写処理後の感光体ドラム１４１の周面に残留した残留トナーを除去して当該感光体ドラム１４１の周面に清浄化処理を施すものである。かかるクリーニング装置１４６によって清浄化処理が施された感光体ドラム１４１の周面は、新たな画像形成処理のために帯電ローラ１４２へ向かい、当該帯電ローラ１４２によって再度帯電処理が施される。
【００５１】
前記定着部１５は、内部にハロゲンランプなどの通電発熱体を備えた定着ローラ１５１と、この下部で周面が定着ローラ１５１の周面に押圧当接するように配設された加圧ローラ１５２とを備えている。そして、画像形成部１４でトナー像の転写処理が施された用紙は、これら定着ローラ１５１と加圧ローラ１５２との間のニップ部を通過することにより、定着ローラ１５１からの熱を得て加熱による定着処理が施されるようになっている。
【００５２】
前記用紙貯留部１６は、画像形成部１４の下方に設けられている。かかる用紙貯留部１６は、複写機本体１１に対して挿脱可能に装着された複数段の用紙カセット１６１を有している。各用紙カセット１６１には、それぞれサイズの異なる用紙が用紙束として貯留され、選択された用紙カセット１６１から所望のサイズの用紙が画像形成部１４へ向けて給紙されるようになっている。
【００５３】
前記用紙排出部１７は、複写機本体１１の左方の壁面から外部に突出した排紙トレイ１７１を有している。そして、用紙貯留部１６から画像形成部１４へ給紙され、所定の転写処理が施された後、引き続き定着部１５で定着処理が施された用紙は、この排紙トレイ１７１へ排出されることになる。
【００５４】
前記原稿読取用搬送装置２０（図３）は、前記コンタクトガラス１２（なお、コンタクトガラス１２については、先に複写機本体１１の構成要素として説明したが、原稿読取用搬送装置２０の構成要素でもある。）と、このコンタクトガラス１２に対して開閉可能に前記複写機本体１１の天板１１０上に装着された筐体２１と、この筐体２１に内装された原稿搬送機構３０（図３）と、この原稿搬送機構３０により搬送されつつある原稿Ｇを前記コンタクトガラス１２の上面に対向させる原稿対向構造４０（図５）とを備えている。
【００５５】
前記筐体２１は、硬質の合成樹脂材料によって形成され、平面視で前記コンタクトガラス１２より若干大きめの矩形状に形状設定されている。かかる筐体２１は、その左方位置に形成された、前記原稿搬送機構３０および原稿対向構造４０が内装される所定の内部容量のケーシング２２と、このケーシング２２の右面の上方位置から右方に向かって突設された原稿束Ｇ１が載置される原稿トレイ２３と、この原稿トレイ２３の下部に形成された原稿画像読み取り済みの原稿が排出される排出トレイ２４とを備えて構成されている。
【００５６】
前記ケーシング２２には、その右面に原稿Ｇをケーシング２２内へ導入するための原稿導入口２２１が開口され、前記原稿トレイ２３は、この原稿導入口２２１から右方に向かって突設されている。
【００５７】
前記原稿トレイ２３の上面における原稿導入口２２１に近接した位置には、互いに対向方向に向けて連係しながら正逆移動し得る、原稿束Ｇ１を挟持するための前後方向一対のカーソル２３１が設けられている。そして、これら一対のカーソル２３１間に原稿束Ｇ１を載置した状態で原稿サイズに合わせて各カーソル２３１を移動させ、一対のカーソル２３１で原稿束Ｇ１を挟持することにより、原稿束Ｇ１は位置決め状態で原稿トレイ２３上に載置された状態になる。
【００５８】
また、ケーシング２２の右面における原稿トレイ２３と排出トレイ２４との間には、原稿画像読み取り済みの原稿Ｇを排出トレイ２４へ向けて排出するための原稿排出口２４１（図３）が設けられている。
【００５９】
従って、原稿トレイ２３のカーソル２３１間に原稿束Ｇ１を載置した状態で原稿搬送機構３０を駆動させることにより、原稿束Ｇ１から原稿Ｇが１枚ずつケーシング２２内へ繰り出されて原稿対向構造４０（図３、図４）へ向けて搬送される。そして、搬送中の原稿Ｇの原稿面が原稿対向構造４０によって第２コンタクトガラス１２２に対向された状態で、当該原稿Ｇの原稿画像が前記スキャナ部１３によって読み取られる。原稿画像が読み取られた後の原稿Ｇは、原稿排出口２４１を通って排出トレイ２４上へ排出される。
【００６０】
このような筐体２１は、後方縁部が左右方向一対の蝶番２５（図２）を介して複写機本体１１の天板１１０に連結され、蝶番２５の蝶番軸２５１回りに正逆回動操作（すなわち開閉操作）されることにより、コンタクトガラス１２の上面を覆った閉止姿勢Ｓ１（図１）と、コンタクトガラス１２の上面が開放された開放姿勢Ｓ２（図２）との間で姿勢変更し得るようになっている。
【００６１】
そして、原稿束Ｇ１から１枚ずつの原稿Ｇを自動的に繰り出させて連続的に各原稿Ｇの原稿画像を、第２コンタクトガラス１２２を介してスキャナ部１３に読み取らせるときには、筐体２１は、図１に示すように、閉止姿勢Ｓ１に姿勢設定される。一方、ブック原稿などの原稿面から原稿画像を、第１コンタクトガラス１２１を介してスキャナ部１３に読み取らせるときには、筐体２１は、図２に示すように、一旦開放姿勢Ｓ２に姿勢設定される。
【００６２】
以下、図３および図４を基に、必要に応じて図１および図２を参照しながら原稿搬送機構３０について説明する。図３は、原稿搬送機構３０の一実施形態を示す正面図であり、図４は、図３の部分拡大図である。図３および図４では、筐体２１の外装板が取り外された状態で原稿搬送機構３０を示している。なお、図３および図４におけるＸによる方向表示は、図１の場合と同様（−Ｘ方向を左方、＋Ｘ方向を右方）である。
【００６３】
まず、図３に示すように、原稿搬送機構３０は、原稿トレイ２３に載置された原稿束Ｇ１から１枚ずつの原稿Ｇを繰り出させて第２コンタクトガラス１２２へ向けて搬入する搬入機構（搬入手段）３１と、この搬入機構３１によって第２コンタクトガラス１２２へ搬入されて原稿画像が読み取られた後の原稿Ｇを排出トレイ２４へ向けて搬出する搬出機構（搬出手段）３５とを備えている。
【００６４】
前記搬入機構３１は、原稿トレイ２３上の原稿束Ｇ１から最上位の原稿Ｇをピックアップしてケーシング２２内に繰り出させるピックアップベルト３２と、このピックアップベルト３２によって繰り出された原稿Ｇを第２コンタクトガラス１２２へ向けて搬送する大径の搬送ローラ３３と、第２コンタクトガラス１２２の直上流位置で周面がこの搬送ローラ３３に設けられた後述するリング体３３２の周面に当接するように対向配置されたレジストローラ３４とを備えて構成されている。
【００６５】
前記ピックアップベルト３２は、原稿トレイ２３の下流端に対向配置された軸心が前後方向に延びる第１ピックアップローラ３２１と、この第１ピックアップローラ３２１の左方位置に所定距離だけ離間して並設された第２ピックアップローラ３２２との間に張設されている。
【００６６】
前記第１ピックアップローラ３２１は、第１ローラ軸３２１ａ回りに回転自在に軸支されているとともに、第２ピックアップローラ３２２は、第２ローラ軸３２２ａ回りに一体回転可能に軸支されている。前記第１および第２ローラ軸３２１ａ，３２２ａ間には、連結板３２３が架設され、これによって第１および第２ローラ軸３２１ａ，３２２ａ間の距離が確定されている。
【００６７】
前記第２ローラ軸３２２ａは、ケーシング２２の所定のフレームに支持されているのに対し、第１ローラ軸３２１ａは、前記フレームに対しフリーとされ、これによって第１ピックアップローラ３２１は、連結板３２３を介して第２ピックアップローラ３２２回りに回動可能になっている。かかる第１ピックアップローラ３２１は、原稿トレイ２３上に原稿束Ｇ１が載置されていないときには原稿トレイ２３の上面から離間した上方位置に位置設定される一方、原稿トレイ２３上に原稿束Ｇ１が載置され、かつ、原稿読み取り用の図略のスタートボタンが押釦されると、自重で第２ローラ軸３２２ａ回りに時計方向に向けて回動し、これによってピックアップベルト３２の右端が原稿束Ｇ１の上面に当接するようになっている。
【００６８】
また、前記第２ローラ軸３２２ａは、図略の駆動モータの駆動で駆動回転するようになされている。そして、駆動モータの駆動で第２ローラ軸３２２ａが時計方向に向けて駆動回転することにより、ピックアップベルト３２は、第１および第２ピックアップローラ３２１，３２２間で時計方向に向けて周回するようになっている。
【００６９】
従って、前記原稿トレイ２３上に原稿束Ｇ１を載置し、スタートボタンを押釦すると、まず、第１ピックアップローラ３２１が上方位置から自重で第２ローラ軸３２２ａ回りに時計方向に回動して下降し、これによってピックアップベルト３２の右端が原稿束Ｇ１の最上位の原稿Ｇに押圧当接する。この状態で駆動モータが駆動されてピックアップベルト３２が第１および第２ピックアップローラ３２１，３２２間で時計方向に向けて周回することにより、原稿束Ｇ１の最上位の原稿Ｇは、このピックアップベルト３２の周回に誘引されてケーシング２２内に向けて次々と繰り出される。
【００７０】
前記搬送ローラ３３は、直径寸法がケーシング２２の上下寸法の略１／２に設定され、ケーシング２２の左下の角部であって、第２コンタクトガラス１２２の直上位置に設けられている。かかる搬送ローラ３３は、ケーシング２２の図略の前後のフレーム間に架設されたローラ軸３３１回りに回転自在に軸支されている。
【００７１】
このような搬送ローラ３３は、その外周面に同心で一体回転可能に形成された複数のリング体３３２と、前端面に同心で一体回転可能に付設されたリング体３３２より若干小径のプーリ３３３とを備えている。前記プーリ３３３には無端ベルト３３４が掛け回されている。この無端ベルト３３４は、図略の駆動プーリにも掛け回され、駆動プーリが図略の駆動モータの駆動で反時計方向に駆動回転されるようになっている。従って、駆動プーリが駆動回転することにより、無端ベルト３３４が駆動プーリとプーリ３３３間で反時計方向に周回し、これによって搬送ローラ３３がローラ軸３３１回りに反時計方向に向けて回転するようになっている。
【００７２】
また、ケーシング２２には、前記ピックアップベルト３２によってピックアップされた原稿Ｇを案内する上部ガイド板３３５が設けられている。この上部ガイド板３３５の下縁部の下方位置には、当該下縁部に沿って原稿Ｇが搬送される搬送路３３６が形成されている。この搬送路３３６は、左端部がリング体３３２に対応して円弧状になっている。
【００７３】
前記レジストローラ３４は、前記搬送路３３６を通って第２コンタクトガラス１２２の直前まで搬送された原稿Ｇを一時的に停止させ、その後、前記スキャナ部１３の駆動と同期させて搬送ローラ３３と同時に再駆動（あるいは再従動）されるようになされている。従って、搬送ローラ３３の駆動およびレジストローラ３４の駆動（あるいは従動）で第２コンタクトガラス１２２の上面に到達した原稿Ｇは、引き続き搬送されつつ原稿画像がスキャナ部１３により適正に読み取られるようになっている。なお、レジストローラ３４を搬送ローラ３３に従動回転させるようにしてもよい。
【００７４】
かかるレジストローラ３４は、ケーシング２２の左下角部に前記搬送ローラ３３と対向配置された右方に向かって先下がりの傾斜板３４１から周面の一部が突出され、この突出した部分が搬送ローラ３３のリング体３３２の周面と当接されている。前記傾斜板３４１の傾斜面の下方へ向かう延長線上に第２コンタクトガラス１２２の左端部が位置している。従って、レジストローラ３４とリング体３３２とのニップ部から進行した原稿Ｇ（図４に太い点線で表示）の先端は、一旦リング体３３２の周面と傾斜板３４１の上面との間の空間に入り込んだ後、傾斜板３４１の傾斜面に案内されつつ第２コンタクトガラス１２２の上流端へ向かうことになる。
【００７５】
前記搬出機構３５は、第２コンタクトガラス１２２の下流側（右側）に設けられ、かつ、周面がリング体３３２の周面と当接したニップローラ３５１と、このニップローラ３５１の右方でかつピックアップベルト３２の下方位置に設けられた搬出ローラ３５２と、この搬出ローラ３５２の右方でかつ前記排出トレイ２４の原稿排出口２４１に対応した位置に設けられた排出ローラ対３５３とを備えている。
【００７６】
前記ニップローラ３５１は、リング体３３２の回転に従動して従動回転するのに対し、前記搬出ローラ３５２および排出ローラ対３５３は、図略の駆動モータの駆動によってリング体３３２と同期回転するようになされている。ニップローラ３５１とリング体３３２との当接位置と、搬出ローラ３５２の周面の下部位置と、排出ローラ対３５３のニップ部とを結ぶ直線は、原稿排出口２４１へ向けて先上がりに傾斜している。
【００７７】
そして、ケーシング２２内には、上縁部が前記の傾斜した直線に沿うように傾斜設定された下部ガイド板３５４が設けられ、第２コンタクトガラス１２２を通過した原稿Ｇは、原稿案内枠１２３の傾斜面に案内された後にニップローラ３５１とリング体３３２との当接位置を通過し、その後、下部ガイド板３５４の上縁面に沿って斜めに上昇し、搬出ローラ３５２および排出ローラ対３５３の駆動回転により原稿排出口２４１を介して排出トレイ２４へ排出されるようになっている。
【００７８】
前記原稿対向構造４０は、第２コンタクトガラス１２２の表面（原稿読取面）を通過しつつある原稿Ｇの原稿面と第２コンタクトガラス１２２の表面との間の隙間寸法を所定の値に保持するためのものであり、第２コンタクトガラス１２２の上方位置で当該第２コンタクトガラス１２２に対向配置されている。
【００７９】
図５および図６は、原稿対向構造４０の一実施形態を示す斜視図であり、図５は、原稿対向構造４０を上面側から見た斜視図、図６は、原稿対向構造４０を裏面側から見た斜視図である。なお、図４および図５におけるＸおよびＹによる方向表示は図１の場合と同様（Ｘは左右方向（−Ｘ：左方、＋Ｘ：右方）、Ｙは前後方向（−Ｙ：前方、＋Ｙ：後方））である。
【００８０】
図５および図６に示すように、原稿対向構造４０は、第２コンタクトガラス１２２上の原稿Ｇの通過をガイドするガイド部材５０と、このガイド部材５０に装着され、かつ、第２コンタクトガラス１２２上での原稿Ｇの搬送を円滑に行わせるべく補助する搬送補助構造６０とを備えて構成されている。
【００８１】
前記ガイド部材５０は、前記第２コンタクトガラス１２２より若干長尺に長さ設定された前後方向に延びるガイド板５１と、このガイド板５１の左右の縁部から互いに反対方向に向けて突設された複数対のウイング５２とを備えている。前記ガイド板５１の前後方向の両端部には、当該両端部からそれぞれ上方に突設されることによって形成された、ガイド部材５０を原稿読取用搬送装置２０の筐体２１に装着するための装着片５３が設けられている。
【００８２】
前記ガイド板５１は、ガイド部材５０が筐体２１に装着された状態で、第２コンタクトガラス１２２の上面に対し僅かな隙間（具体的には、原稿Ｇの厚み寸法より若干広めの隙間（本実施形態においては略０．１ｍｍ））を介して対向配置され、これによって第２コンタクトガラス１２２の上面へ送り込まれた原稿Ｇは、第２コンタクトガラス１２２の上面とガイド板５１の下面との間の隙間に差し通された状態でその非読取面（上面）がガイド板５１の下面と摺擦しつつ搬送されるようになっている。このとき、原稿Ｇの下面（原稿面）側は、第２コンタクトガラス１２２の上面とは摺擦せず、これによって原稿Ｇの原稿画像の損傷が防止される。
【００８３】
前記ウイング５２は、互いに対向した一対で前記搬送補助構造６０をガイド部材５０へ装着するためのものである。かかる一対のウイング５２のそれぞれは、基端傾斜部５２１と急峻傾斜部５２２とからなっている。前記基端傾斜部５２１は、ガイド板５１から左右に向けて上方に向かうに従い互いの離間距離が漸増するよう比較的緩やかな角度（本実施形態では２５°〜４５°）で突設されている。これに対し前記急峻傾斜部５２２は、前記基端傾斜部５２１からさらに上方に向かって急峻な角度（本実施形態では略６０°）で延設されている。
【００８４】
前記ウイング５２の互いに対向した各基端傾斜部５２１におけるガイド板５１から分岐した部分には、搬送補助構造６０に設けられた後述するコロ６２２を通すためのコロ挿通孔５２１ａがそれぞれ穿設されている。また、互いに対向したウイング５２の各急峻傾斜部５２２の中央位置には、搬送補助構造６０に設けられた後述する嵌入突起６１４およびＶ字状係止片６１５（図７）を差し通すための前後方向に長尺の長孔５２２ａがそれぞれ穿設されている。
【００８５】
前記ウイング５２は、本実施形態においては６対が前後方向に向けて並設されている。前後方向における各ウイング５２間には、それぞれ隙間が形成され（本実施形態においては５つの隙間が形成されている）、これらの隙間を搬送ローラ３３のリング体３３２の周面部分が通るようになっている。
【００８６】
以下、図７〜図９を基に搬送補助構造６０について説明する。図７は、搬送補助構造６０の一実施形態を示す分解斜視図であり、図８は、その組み立て斜視図である。また、図９は、図８に示す搬送補助構造６０の断面図であり、（Ａ）は、図８のＶIIIIＡ−ＶIIIIＡ線断面図、（Ｂ）は、図８のＶIIIIＢ−ＶIIIIＢ線断面図である。なお、図７〜図９におけるＸおよびＹによる方向表示は図１の場合と同様８（Ｘは左右方向（−Ｘ：左方、＋Ｘ：右方）、Ｙは前後方向（−Ｙ：前方、＋Ｙ：後方））である。
【００８７】
まず、図７に示すように、搬送補助構造６０は、前記ガイド部材５０の一対のウイング５２の急峻傾斜部５２２間に装着される上部台座６１と、この上部台座６１の下部に昇降可能に取り付けられる昇降部材６２と、この昇降部材６２に下方へ向かって付勢力を付与するコイルスプリング６３とを備えて構成されている。
【００８８】
前記上部台座６１は、左右方向に延びる前後方向一対の長尺桟材６１１と、これら一対の長尺桟材６１１の左右の端部間に架設された左右方向一対の短尺桟材６１２と、これら長尺桟材６１１の下縁部および短尺桟材６１２の下縁部間に架設された底板６１３とを備え、平面視で左右方向に長尺の矩形状に形状設定されている。一対の短尺桟材６１２の各中央部間には、補強桟材６１１ａが架設され、これによって上部台座６１が強度的に丈夫になっている。
【００８９】
前記一対の長尺桟材６１１は、長さ寸法が前記ウイング５２の一対の急峻傾斜部５２２の上下方向の略中央部間に挟持され得るように寸法設定されているとともに、一対の短尺桟材６１２は、長さ寸法がウイング５２の前後長より短めに設定され、これによって上部台座６１は、一対のウイング５２の急峻傾斜部５２２間からはみ出すことなくウイング５２に装着され得るようになっている。
【００９０】
前記左方の短尺桟材６１２には、その外面（左面）側に左方に向かって突設された、前記ウイング５２の左方の長孔５２２ａ（図５、図６）に嵌入するための３つの嵌入突起６１４が設けられている。また、前記右方の短尺桟材６１２には、外方に向かって突設された、前記ウイング５２の右方の長孔５２２ａ（図５）に嵌入するためのＶ字状係止片６１５が設けられている。
【００９１】
前記Ｖ字状係止片６１５は、右方の短尺桟材６１２から垂下された正面視でＶ字状を呈するＶ字基端部６１５ａと、このＶ字基端部６１５ａの右方上端から右方に向かって突設された前後方向に長尺の係止片６１５ｂとからなっている。係止片６１５ｂの前後長は、前記ウイング５２の右方の長孔５２２ａより若干短く設定されている。
【００９２】
従って、嵌入突起６１４をウイング５２の左側の長孔５２２ａに嵌め込んだ後（図５の一点鎖線Ｌ１参照）、Ｖ字基端部６１５ａを右側のウイング５２の急峻傾斜部５２２の内面に沿って弾性変形させつつ下降させてウイング５２の右側の長孔５２２ａに嵌め込む（図５の一点鎖線Ｌ２参照）ことによって上部台座６１がガイド部材５０の一対のウイング５２間に装着される。
【００９３】
また、前記上部台座６１の底板６１３には、左右方向の中央部に補強桟材６１１ａを挟んで前後一対の矩形状の逃がし孔６１３ａが穿設されている。これら一対の逃がし孔６１３ａは、昇降部材６２が上昇した状態で後述する連結角柱６２３の頂部を逃がすためのものである。
【００９４】
さらに、前記底板６１３の裏面側には、前記一対の逃がし孔６１３ａの外側位置から下方に向けて垂下された左右方向に幅広の前後方向一対の第１案内板６１６が設けられている。これら一対の第１案内板６１６は、昇降部材６２の後述する連結角柱６２３の昇降を案内するものである。かかる第１案内板６１６の左右方向の中央部には、前記逃がし孔６１３ａと対応するように上下方向に延びた角孔からなる案内孔６１６ａが穿設されている。この案内孔６１６ａには、後述する連結角柱６２３の係止突片６２３ａが昇降可能に嵌め込まれる。
【００９５】
また、底板６１３の裏面側には、前後方向の中央部において中心位置から互いに所定距離だけ離間した位置から垂下した左右方向一対の第２案内板６１７が設けられている。これら一対の第２案内板６１７は、昇降部材６２の後述する一対の衝立板６２５を挟持し、これによって昇降部材６２の上部台座６１に対する左右方向の位置決めを行うようになっている。
【００９６】
加えて、上部台座６１の底板６１３には、その中央部における一対の逃がし孔６１３ａ間に下方に向けて突設された前記コイルスプリング６３が外嵌されるスプリング支持円柱６１８が設けられている。かかるスプリング支持円柱６１８にコイルスプリング６３の上部を嵌め込むことによって、当該コイルスプリング６３が上部台座６１と昇降部材６２との間に安定した状態で装着されるようになっている。
【００９７】
前記昇降部材６２は、前記上部台座６１に昇降可能に装着されるものである。かかる昇降部材６２は、下部で前記上部台座６１に対向配置される下部台座６２１と、この下部台座６２１の左右の端部に付設される左右方向一対のコロ（搬送補助部材）６２２と、前記下部台座６２１の左右方向の中央部における前後の側部に立設された前後一対の連結角柱６２３とを備えている。
【００９８】
前記下部台座６２１は、前後幅寸法が前記上部台座６１の一対の長尺桟材６１１間の外寸法より若干短めに寸法設定されているとともに、左右寸法が上部台座６１の一対の短尺桟材６１２間の外寸法より若干短めに寸法設定され、これによって平面視で上部台座６１より若干小さめの矩形状を呈している。
【００９９】
前記一対のコロ６２２は、第２コンタクトガラス１２２へ送り込まれた原稿Ｇが当接されるものであり、下部台座６２１の左右の端部における前後の縁部にそれぞれ付設された各一対の軸受け部材６２４に支持された状態で下部が下部台座６２１から下方に向けて突出して第２コンタクトガラス１２２と対向するようになされている（図９（Ａ）参照）。
【０１００】
かかるコロ６２２は、コロ軸６２２ａと、このコロ軸６２２ａに同心で一体回転可能に外嵌されたコロ本体６２２ｂとからなっている。前記コロ軸６２２ａは、両端部がコロ本体６２２ｂの前後の端部から若干外方に向けて突出され、これらの突出した部分が前記一対の軸受け部材６２４に軸支されることによりコロ６２２がコロ軸６２２ａ回りに一体回転し得るようになっている。
【０１０１】
前記コロ本体６２２ｂは、本実施形態においては、ゴムや軟質の合成樹脂材料等の弾性材料によって形成され、これによって原稿Ｇに対する当たりが柔らかになっている。
【０１０２】
このようなコロ６２２は、上部台座６１の嵌入突起６１４およびＶ字状係止片６１５を、図４における一点鎖線Ｌ３で示すように、ガイド部材５０のウイング５２の左右の長孔５２２ａに嵌め込むことにより上部台座６１をガイド部材５０に装着した状態で、周面の一部がウイング５２の左右のコロ挿通孔５２１ａから外部へ突出するように設置位置が設定されている。
【０１０３】
前記一対の連結角柱６２３は、昇降部材６２を昇降可能に上部台座６１に連結するためのものである。かかる各連結角柱６２３の頂部には、互いに反対方向に向けて突設された係止突片６２３ａがそれぞれ設けられている。各係止突片６２３ａは、左右幅寸法が前記上部台座６１に設けられた第１案内板６１６の案内孔６１６ａの左右幅寸法より若干幅狭に設定され、これによって案内孔６１６ａに昇降可能に嵌め込まれ得るようになっている。
【０１０４】
このような各係止突片６２３ａは、下面が連結角柱６２３の前後方向の外面に対し直角に設定されることにより形成された係止面６２３ｂと、この係止面６２３ｂの前後方向の先端縁部から上方に向かって互いに接近するように傾斜した傾斜面６２３ｃとを有している。そして、かかる一対の係止突片６２３ａが前記一対の第１案内板６１６の対応した案内孔６１６ａにそれぞれ嵌め込まれることによって、昇降部材６２が昇降可能に上部台座６１に連結されるようになっている。
【０１０５】
また、下部台座６２１の上面には、係止突片６２３ａより左右方向の外方位置にそれぞれ衝立板６２５が立設されているとともに、これら一対の衝立板６２５間に一対の架設板６２６が架設されている。これら一対の衝立板６２５および一対の架設板６２６によって囲繞された空間に前記コイルスプリング６３が嵌挿され、これによってコイルスプリング６３が前後左右へずれるのを防止するようになされている。
【０１０６】
さらに、下部台座６２１の左右方向の中央部における前後の縁部には、それぞれ上方へ向かって突設された外れ止め片６２７が設けられている。各外れ止め片６２７と、連結角柱６２３との間には、前記第１案内板６１６が摺接状態で嵌め込まれ得る隙間が形成されている。また、外れ止め片６２７の上縁部と前記係止突片６２３ａの係止面６２３ｂとの間には、前記第１案内板６１６における案内孔６１６ａの下縁部と第１案内板６１６の下端面との間の寸法より僅かに短尺の隙間が形成されている。
【０１０７】
そして、第１案内板６１６は、外れ止め片６２７を外方へ弾性変形させた状態で外れ止め片６２７と連結角柱６２３との間に嵌め込まれることにより、図９（Ｂ）に示すように、外方へ向かって外れ止めされるようになっている。
【０１０８】
そして、原稿読取用搬送装置２０が閉止姿勢Ｓ１（図１）に姿勢設定された状態で、コロ６２２の周面と第２コンタクトガラス１２２の上面との間には、図９（Ａ）に示すように、隙間寸法ｄの隙間が形成されるとともに、ガイド板５１の下面と第２コンタクトガラス１２２の上面との間には、前記隙間寸法ｄより若干狭く、かつ、原稿Ｇが通過し得る隙間が形成されるようになっている。因みに、本実施形態においては、前記隙間寸法ｄは、０．２ｍｍ〜０．３ｍｍに設定されている。
【０１０９】
このように構成された昇降部材６２を上部台座６１に連結するに際しては、まず、コイルスプリング６３を上部台座６１のスプリング支持円柱６１８に外嵌する。このコイルスプリング６３を昇降部材６２の一対の衝立板６２５間に嵌め込んだ状態で、上部台座６１のスプリング支持円柱６１８をコイルスプリング６３の上端に内嵌し、引き続き上部台座６１をコイルスプリング６３の付勢力に抗して昇降部材６２へ接近させ、上部台座６１の各第１案内板６１６を連結角柱６２３と外れ止め片６２７との隙間に嵌め込むとともに、各連結角柱６２３の係止突片６２３ａをそれぞれ対応した案内孔６１６ａに嵌め込む。
【０１１０】
こうすることによって上部台座６１と昇降部材６２とが第１案内板６１６および係止突片６２３ａを介して互いに連結されて、図８に示すような搬送補助構造６０を得ることができる。
【０１１１】
そして、搬送補助構造６０が完成した状態では、上部台座６１と昇降部材６２とは圧縮弾性変形したコイルスプリング６３の付勢力によって互いに離間する方向に向けて付勢され、図８に示すように、昇降部材６２の係止突片６２３ａの係止面６２３ｂが上部台座６１の案内孔６１６ａの下縁部に当止した状態になっている。
【０１１２】
この状態で原稿読取用搬送装置２０が閉止姿勢Ｓ１（図１）に姿勢設定され、原稿Ｇが第２コンタクトガラス１２２へ送り込まれると、当該原稿Ｇは、図９（Ａ）に示すように、左右のコロ６２２と第２コンタクトガラス１２２との間の隙間を通過する。このとき、原稿Ｇを引っ張る搬出機構３５の具合によって原稿Ｇに過大な力が加わることがあっても、コロ６２２は、コイルスプリング６３の付勢力に抗して上昇し、これによって前記過大な力が吸収されるため、原稿Ｇが損傷するような不都合の発生が防止される。
【０１１３】
そして、一対のコロ６２２をガイド板５１の上流端および下流端の外側の位置にそれぞれ設けられていることにより、特に原稿Ｇの先端および後端に形成された原稿画像が適正に読み取られ得るようになる。
【０１１４】
以下、かかるコロ６２２を備えた原稿対向構造４０の作用について図１０を基に説明する。図１０は、原稿対向構造４０の作用を説明するための説明図であり、（Ａ）は、原稿Ｇの先端部が第２コンタクトガラス１２２に到達した状態、（Ｂ）は、原稿Ｇの先端部が第２コンタクトガラス１２２の画像読取域Ｒ２に到達した状態、（Ｃ）は、原稿Ｇの先端部がニップローラ３５１へ衝突した状態、（Ｄ）は原稿Ｇの後端部が画像読取域へ到達した状態をそれぞれ示している。なお、図１０におけるＸによる方向表示は図１の場合と同様（−Ｘ：左方、＋Ｘ：右方）である。
【０１１５】
まず、図１０（Ａ）〜図１０（Ｄ）に示すように、第２コンタクトガラス１２２の上面には、上流側（左側）のコロ６２２と対向する位置に原稿Ｇを第２コンタクトガラス１２２上へ導入するための入口位置Ｐ１（上流側のコロ６２２と第２コンタクトガラス１２２とが対向する位置）が設定されているとともに、下流側（右側）のコロ６２２と対向する位置に原稿Ｇを第２コンタクトガラス１２２上から導出するための出口位置Ｐ２（下流側のコロ６２２と第２コンタクトガラス１２２とが対向する位置）が設定されている。そして、第２コンタクトガラス１２２上の入口位置Ｐ１と出口位置Ｐ２との間に原稿Ｇを安定した状態で搬送し得る原稿安定搬送域Ｒ１が形成されている。また、第２コンタクトガラス１２２上に置ける前記原稿安定搬送域Ｒ１の範囲内には、ガイド板５１の上流端と対向した位置に読取開始位置Ｑ１が設定されているとともに、ガイド板５１の下流端と対向した位置に読取終了位置Ｑ２が設定されている。そして、読取開始位置Ｑ１と読取終了位置Ｑ２との間に原稿Ｇの読取面（下面）の原稿画像が読み取られる画像読取域Ｒ２が設定されている。
【０１１６】
そして、レジストローラ３４および搬送ローラ３３のリング体３３２の回転によりこれらのニップ部を通過した原稿Ｇは、傾斜板３４１の傾斜面に沿って第２コンタクトガラス１２２へ向けて下降し（図１０（Ａ））、その先端が第２コンタクトガラス１２２の上面に衝突した後、第２コンタクトガラス１２２の上面を滑って右方へ移動する。その後、原稿Ｇの先端は、入口位置Ｐ１で上流側のコロ６２２と第２コンタクトガラス１２２の上面との間を通って原稿安定搬送域Ｒ１に導入され、引き続き読取開始位置Ｑ１を通って画像読取域Ｒ２に到達し（図１０（Ｂ））、読取終了位置Ｑ２へ到達するまでの間に画像読取域Ｒ２において原稿画像の読み取りが行われる。
【０１１７】
ついで、原稿Ｇの先端は、下流側（右側）のコロ６２２と第２コンタクトガラス１２２の上面との間、すなわち出口位置Ｐ２を通って原稿安定搬送域Ｒ１から右方へ向けて抜け出し、原稿案内枠１２３の傾斜面に案内されつつさらに前進して一旦ニップローラ３５１の周面に衝突する（図１０（Ｃ））。その後、ニップローラ３５１の時計方向への回転に誘導されて当該ニップローラ３５１の周面とニップローラ３５１の周面とに挟持された状態で両者の回転により排出トレイ２４へ向けて排出される（図１０（Ｄ））。
【０１１８】
ところで、原稿Ｇがレジストローラ３４とリング体３３２とのニップ部から下方に向けて搬送されるときには、図１０（Ａ）に示すように、原稿Ｇの先端が第２コンタクトガラス１２２の上面に一旦衝突した後、撓んだり振るえたりしながら画像読取域Ｒ２へ向かわされる。このとき、もし、従来のように上流側（左側）のコロ６２２が存在しなかった場合には、原稿Ｇは、不安定な状態のまま画像読取域Ｒ２へ導入されるため、原稿Ｇの先端側の原稿画像を正確に読み取ることができなくなるという不都合が生じる。
【０１１９】
これに対し、本発明においては、不安定な状態の原稿Ｇの先端部は、図１０（Ｂ）に示すように、一旦上流側のコロ６２２と第２コンタクトガラス１２２の上面との間を通過して原稿安定搬送域Ｒ１に導入され、ここで画像読取域Ｒ２と同一平面上に位置した状態とされてから画像読取域Ｒ２へ進入するため、画像読取域Ｒ２では原稿Ｇの先端部は安定し、これによって原稿Ｇの先端側の原稿画像が適正に読み取られる。
【０１２０】
ついで、画像読取域Ｒ２で原稿画像の読み取りが完了した原稿Ｇの先端部は、レジストローラ３４およびリング体３３２の駆動回転による搬送継続によって下流側のコロ６２２と第２コンタクトガラス１２２との間を通って前進し、原稿案内枠１２３の傾斜面に案内されて右方に向かって斜め上方に移動し、図１０（Ｃ）に示すように、一旦ニップローラ３５１の周面に衝突した後、当該ニップローラ３５１の時計方向への回転に誘導されてリング体３３２の周面へ向かわされるが、原稿Ｇの先端は必ずしも安定した状態でリング体３３２の周面へ向かうとは限らず、振動したり撓んだりして不安定な状態になる。
【０１２１】
このとき、もし、従来のように下流側（右側）のコロ６２２が存在しなかった場合には、原稿Ｇの先端部の不安定な状態が画像読取域Ｒ２に位置した読み取り途中の部分に影響し、これによって原稿画像を正確に読み取ることができなくなるという不都合が生じる。
【０１２２】
これに対し、本発明においては、不安定な状態の原稿Ｇの先端部は、図１０（Ｃ）に示すように、下流側のコロ６２２によって吸収されるため、これより上流側の画像読取域Ｒ２に位置している部分には原稿Ｇの縁端部の不安定な状態が影響することはなく、原稿画像は適正に読み取られる。
【０１２３】
そして、本実施形態においては、第２コンタクトガラス１２２上における入口位置Ｐ１と読取開始位置Ｑ１との間の空間を極力小さくするように上流側のコロ６２２の設置位置が設定され、これによって原稿Ｇの後端がレジストローラ３４から外れたときの原稿安定搬送域Ｒ１内での原稿Ｇの乱れを有効に抑え得るようにしている。
【０１２４】
また、本実施形態においては、第２コンタクトガラス１２２上における読取終了位置Ｑ２と出口位置Ｐ２との間の空間を極力小さくするように下流側のコロ６２２の設置位置が設定され、これによって原稿Ｇの先端が原稿案内枠１２３の傾斜面に衝突したときの原稿安定搬送域Ｒ１内での原稿Ｇの乱れを有効に抑え得るようにしている。
【０１２５】
さらに、本実施形態においては、原稿安定搬送域Ｒ１での原稿Ｇの搬送において、コロ６２２が大きな搬送抵抗にならないように、コロ本体６２２ｂとしてＰＯＭ（ポリオキシメチレン）やゴムなどの弾性材料を採用しているとともに、コロ６２２をコイルスプリング６３の付勢力に抗して弾力的に上昇させ得るような構造を採用している。
【０１２６】
ついで、原稿Ｇの先端がニップローラ３５１とリング体３３２とに挟持された状態になると、以後原稿Ｇは、図１０（Ｄ）に示すように、ニップローラ３５１およびリング体３３２の駆動回転による引っ張り力が主導で原稿Ｇを引き上げながら排出トレイ２４へ向かわせられる。従って、ニップローラ３５１と下流側のコロ６２２との間の原稿Ｇにはニップローラ３５１へ向かう張力が発生するため、下流側のコロ６２２には上方へ向かう分力が作用し、これによってコイルスプリング６３によって下方へ向けて付勢された昇降部材６２は、スプリング支持円柱６１８（図７、図９）回りに反時計方向に僅かではあるが回動する（なお、図１０（Ｄ）には昇降部材６２の回動を誇張して示している）。
【０１２７】
この昇降部材６２の回動によって上流側のコロ６２２は、原稿Ｇの後部を第２コンタクトガラス１２２へ向けて押圧するため、図１０（Ｄ）に示すように、原稿Ｇの後端部が読み取られるときであっても、レジストローラ３４とリング体３３２とのニップ部を離れた原稿Ｇの後端部がふらつくような不都合が生じることはなく、後端部分の原稿画像が適正に読み取られる。
【０１２８】
以上詳述したように、本発明に係る原稿読取用搬送装置２０は、原稿Ｇを搬送しながら当該原稿Ｇの原稿面に形成された原稿画像をスキャナ部１３に読み取らせた後に当該読み取らせた画像情報を基に画像形成部１４で画像形成処理が施され、用紙に転写されるように構成された複写機１０などの画像形成装置に適用されるものである。
【０１２９】
そして、本実施形態においては、原稿読取用搬送装置２０は、裏面側がスキャナ部１３に対向し、かつ、表面側に原稿読取面が形成されて当該原稿読取面が搬送されつつある原稿Ｇの原稿面に対向するように配設された第２コンタクトガラス１２２と、原稿Ｇを第２コンタクトガラス１２２の範囲外から先下がりで原稿読取面へ向けて搬入する搬入機構３１と、この搬入機構３１により第２コンタクトガラス１２２の原稿読取面へ搬入された原稿Ｇと画像読取面との間に所定寸法の隙間を保持させるべく原稿読取面の画像読取域Ｒ２に対向配置されるガイド板５１を備えた原稿対向構造４０と、原稿画像の読み取り処理が完了した原稿Ｇを搬入方向と反対側に向けて斜め上方へ搬出する搬出機構３５とを備えて構成されている。
【０１３０】
従って、搬入機構３１の駆動で第２コンタクトガラス１２２のへ先下がりに搬入された原稿Ｇは、ガイド板５１と第２コンタクトガラス１２２との間の隙間を通り、この通過中に第２コンタクトガラス１２２の裏面側に対向配置されたスキャナ部１３によってその原稿画像が読み取られる。原稿画像が読み取られた原稿Ｇは、搬出機構３５の駆動で原稿読取面から搬入方向と反対側に向かって斜め上方へ搬送され、排出トレイ２４へ向けて排出される。
【０１３１】
そして、ガイド板５１の上流端および下流端の各外方には、原稿Ｇの原稿面と反対側の面（非原稿面）がそれぞれ当接されるコロ６２２を備えた搬送補助構造６０が設けられているため、搬入機構３１によって原稿読取面へ供給される原稿Ｇは、まず、上流側のコロ６２２と第２コンタクトガラス１２２との間に搬入されて非原稿面がコロ６２２に当接され、引き続きガイド板５１と第２コンタクトガラス１２２の原稿読取面との隙間を通過した後、下流側のコロ６２２と第２コンタクトガラス１２２との間を非原稿面がコロ６２２に当接した状態で通ったのち搬出機構３５により排出トレイ２４へ搬出される。
【０１３２】
ところで従来は、原稿Ｇが原稿読取面へ搬入されるに際しその上流端が原稿読取面へ直接向かって上流端の挙動が不安定になり、これによって原稿Ｇの上流端付近の原稿画像が安定せず、正確な原稿画像の読み取りが行い得なくなるという不都合が生じるとともに、原稿Ｇが原稿読取面から搬出されるに際し、原稿Ｇの下流端が原稿読取面から直接外れて下流端の挙動が不安定になり、これによって下流端付近の原稿画像が安定せず、正確な原稿画像の読み取りが行い得なくなるという不都合が生じる。
【０１３３】
これに対し、本発明では、第２コンタクトガラス１２２へ搬入される原稿Ｇは、直接第２コンタクトガラス１２２の画像読取域Ｒ２へ向かわせられるのではなく、一旦上流側のコロ６２２を経由して原稿安定搬送域Ｒ１へ導入され、その後画像読取域Ｒ２へ導入される。そして、原稿面の読取処理が完了した後の原稿Ｇは、直接搬出機構３５へ向かわせられるのではなく、一旦下流側のコロ６２２を経由するため、いずれのときにも原稿Ｇは、その非原稿面が原稿読取面から外方側へ離間したコロ６２２に当接し、この当接状態が維持され原稿読取面に対し安定した状態で搬入出される。
【０１３４】
従って、原稿Ｇの上流端近傍および下流端近傍の原稿画像を正確に読み取ることができなかったという従来の不都合が解消され、原稿Ｇの原稿面に形成された全ての原稿画像を適正に読み取ることができる。
【０１３５】
また、各コロ６２２は、原稿読取面に対して所定寸法離間した位置までコイルスプリング６３により付勢されているため、原稿Ｇが搬入機構３１および搬出機構３５の双方によって搬送された状態になったとき、両者の力のバランスで原稿Ｇに上方へ向かって引き上げられるような力が作用するときでも、コロ６２２がコイルスプリング６３の付勢力に抗して上動することで原稿Ｇを引き上げる力が吸収され、これによって原稿面が不安定になるような不都合の発生を有効に防止することができる。
【０１３６】
さらに、搬送補助部材として原稿搬送方向と直交する原稿幅方向に向けて延びる軸心回りに回転可能にガイド板５１に取り付けられたコロ６２２が採用されているため、原稿Ｇが原稿面に沿って搬送されるに際し、原稿Ｇの非原稿面がコロ６２２に当接し、当該コロ６２２が軸心回りに回転することで原稿Ｇの搬送をスムーズに行うことができる。
【０１３７】
加えて、原稿安定搬送域Ｒ１の上流端および下流端に対で設けられるコロ６２２は、ガイド板５１の長手方向に亘って複数対（本実施形態では６対）が採用されているため、第２コンタクトガラス１２２上の原稿Ｇには幅方向に亘って複数対のコロ６２２が当接され、これによって画像読取域Ｒ２での原稿の搬送状態をより安定したものにすることができる。
【０１３８】
本発明は上記の実施形態に限定されるものではなく、以下の内容をも包含するものである。
【０１３９】
（１）上記の実施形態においては、原稿読取用搬送装置２０が適用される画像形成装置として複写機１０を例に挙げて説明したが、本発明は、画像形成装置が複写機１０であることに限定されるものではなく、相手方から伝送された画像情報に基づき画像形成処理を施すファクシミリ装置であってもよい。
【０１４０】
（２）上記の実施形態においては、搬送補助部材としてコロ６２２が採用されているが、コロ６２２に代えて金属製あるいは合成樹脂製の板バネを採用し、この板バネを正面視で下に凸の円弧状に加工したものをコロ６２２に代えて昇降部材６２に取り付けるようにしてもよい。
【０１４１】
（３）上記の実施形態においては、昇降部材６２を付勢するための付勢部材としてコイルスプリング６３が採用されているが、本発明は、付勢部材がコイルスプリング６３であることに限定されるものではなく、板バネや捻りバネ、さらにはゴムなどの弾性材料を採用してもよい。
【０１４２】
（４）上記の実施形態においては、コロ本体６２２ｂをゴムなどの弾性材料によって形成しているが、本発明は、コロ本体６２２ｂが弾性材料製であることに限定されるものではなく、金属や硬質の合成樹脂等の非弾性材料製であってもよい。
【０１４３】
（５）上記の実施形態においては、左右のコロ６２２は原稿Ｇの搬送に従動して回転するようになされているが、こうする代わりに各コロ６２２自体を駆動モータの駆動で駆動回転させるようにしてもよい。こうすることで第２コンタクトガラス１２２上において原稿安定搬送域Ｒ１に位置した原稿Ｇは、左右のコロ６２２の駆動に支配された状態になる。従って、原稿安定搬送域Ｒ１に入るまで、および原稿安定搬送域Ｒ１から出てからの原稿Ｇの挙動は全く原稿安定搬送域Ｒ１に位置している原稿Ｇには影響しなくなるため、画像読取域Ｒ２での原稿画像の読み取り処理は、当該原稿画像が原稿Ｇの上流端側のものであるのか、下流端側のものであるのかに拘わらず、極めて正確に行われる。
【図面の簡単な説明】
【０１４４】
【図１】本発明に係る原稿読取用搬送装置が適用された複写機の一実施形態を示す斜視図であり、原稿読取用搬送装置が閉止姿勢に姿勢設定された状態を示している。
【図２】図１に示す複写機に原稿読取用搬送装置が開放姿勢に姿勢設定された状態を示す斜視図である。
【図３】原稿搬送機構の一実施形態を示す正面図である。
【図４】図３に示す原稿搬送機構の部分拡大図である。
【図５】原稿対向構造の一実施形態を示す斜視図であり、原稿対向構造を上面側から見た斜視図である。
【図６】図５に示す原稿対向構造を裏面側から見た斜視図である。
【図７】搬送補助構造の一実施形態を示す分解斜視図である。
【図８】図７に示す搬送補助構造の組み立て斜視図である。
【図９】図８に示す搬送補助構造の断面図であり、（Ａ）は、図８のＶIIIIＡ−ＶIIIIＡ線断面図、（Ｂ）は、図８のＶIIIIＢ−ＶIIIIＢ線断面図である。
【図１０】稿対向構造の作用を説明するための説明図であり、（Ａ）は、原稿の先端部が第２コンタクトガラスに到達した状態、（Ｂ）は、原稿の先端部が第２コンタクトガラスの画像読取域に到達した状態、（Ｃ）は、原稿の先端部がニップローラへ衝突した状態、（Ｄ）は原稿の後端部が画像読取域へ到達した状態をそれぞれ示している。
【符号の説明】
【０１４５】
１０  複写機（画像形成装置）    １１  複写機本体
１１０  天板                    １１１  操作パネル部
１２  コンタクトガラス          １２１  コンタクトガラス
１２２  コンタクトガラス        １２３  原稿案内枠
１３  スキャナ部（原稿読取手段）
１４  画像形成部                １４１  感光体ドラム
１４２  帯電ローラ              １４３  露光ユニット
１４４  現像装置                １４５  転写ローラ
１４６  クリーニング装置        １５  定着部
１５１  定着ローラ              １５２  加圧ローラ
１６  用紙貯留部                １６１  用紙カセット
１７  用紙排出部                １７１  排紙トレイ
２０  原稿読取用搬送装置          ２１  筐体
２２  ケーシング                ２２１  原稿導入口
２３  原稿トレイ                ２３１  カーソル
２４  排出トレイ                ２４１  原稿排出口
２５  蝶番                      ２５１  蝶番軸
３０  原稿搬送機構              ３１  搬入機構（搬入手段）
３２  ピックアップベルト        ３２１  ピックアップローラ
３２１ａ  第１ローラ軸          ３２２  ピックアップローラ
３２２ａ  第２ローラ軸          ３２３  連結板
３３  搬送ローラ                ３３１  ローラ軸
３３２  リング体                ３３３  プーリ
３３４  無端ベルト              ３３５  上部ガイド板
３３６  搬送路                  ３４  レジストローラ
３４１  傾斜板                  ３５  搬出機構（搬出手段）
３５１  ニップローラ            ３５２  搬出ローラ
３５３  排出ローラ対            ３５４  下部ガイド板
４０  原稿対向構造              ５０  ガイド部材
５１  ガイド板                  ５２  ウイング
５２１  基端傾斜部              ５２１ａ  コロ挿通孔
５２２  急峻傾斜部              ５２２ａ  長孔
５３  装着片                    ６０  搬送補助構造
６１  上部台座                  ６１１  長尺桟材
６１１ａ  補強桟材              ６１２  短尺桟材
６１３  底板                    ６１３ａ  逃がし孔６１３
６１４  嵌入突起                ６１５  字状係止片
６１５ａ  字基端部              ６１５ｂ  係止片
６１６  第１案内板              ６１６ａ  案内孔
６１７  第２案内板              ６１８  スプリング支持円柱
６２  昇降部材                  ６２１  下部台座
６２２  コロ（搬送補助部材）    ６２２ａ  コロ軸
６２２ｂ  コロ本体              ６２３  連結角柱
６２３ａ  係止突片              ６２３ｂ  係止面
６２３ｃ  傾斜面                ６２４  軸受け部材
６２５  衝立板                  ６２６  架設板
６２７  外れ止め片              ６３  コイルスプリング
Ｇ  原稿                        Ｇ１  原稿束
Ｌ１  嵌入突起の嵌め込み方向を示す一点鎖線
Ｌ２  Ｖ字状係止片の嵌め込み方向を示す一点鎖線
Ｌ３  コロの装着方向を示す一点鎖線
Ｐ１  入口位置                  Ｐ２  出口位置
Ｑ１  読取開始位置              Ｑ２  読取終了位置
Ｒ１  原稿安定搬送域            Ｒ２  画像読取域
Ｓ１  閉止姿勢                  Ｓ２  開放姿勢
【図１】
2008028712.tif 000003
【図２】
2008028712.tif 000004
【図３】
2008028712.tif 000005
【図４】
2008028712.tif 000006
【図５】
2008028712.tif 000007
【図６】
2008028712.tif 000008
【図７】
2008028712.tif 000009
【図８】
2008028712.tif 000010
【図９】
2008028712.tif 000011
【図１０】
2008028712.tif 000012